(57)【要約】【課題】  商用交流電源が途絶した場合だけ非常用の電源で駆動できるようにする。【解決手段】  整流回路５２は、商用交流電源からＤＣ電源を生成する。充電コンデンサ５３は、整流回路５２の出力側とプラス側で接続されＤＣ電源で充電される。情報処理ユニット部に電力を供給するライン５８には、整流回路５２の出力側及び充電コンデンサ５３のプラス側が並列に接続されている。本装置の主電源が操作スイッチ５９で投入されているときは、ＭＰＵ５４は、情報処理ユニット部に電力を供給するライン５８を開き、投入されていないときは閉じる。【選択図】    図５
2005101785.tif 000002
【特許請求の範囲】
【請求項１】
画像形成装置と、
この画像形成装置に付加的に設けられた情報処理端末と、
前記画像形成装置及び前記情報処理端末に駆動電力を供給する第１の電源手段と、
この第１の電源手段からの前記画像形成装置及び前記情報端末に対する電源供給が遮断された場合に、前記情報処理端末に対してのみ駆動電力を供給する第２の電源手段と、
を具備する画像形成システム。
【請求項２】
画像形成装置と、
この画像形成装置に付加的に設けられた情報処理端末と、
前記画像形成装置ならびに前記情報処理端末に駆動電力を供給する第１の電源手段と、
この第１の電源手段からの前記画像形成装置及び前記情報処理端末に対する電源供給が遮断されたとき、その時点で前記情報処理端末が動作中であった場合には、前記情報端末に対してのみ駆動電力を供給する第２の電源手段と、
を具備することを特徴とする画像形成システム。
【請求項３】
請求項２記載の画像形成システムであって、
前記第１の電源手段からの前記情報処理端末への電源供給が遮断された時点で前記情報処理端末で行われていた作業を記憶する記憶手段と、
をさらに具備することを特徴とする画像形成システム。
【請求項４】
請求項３記載の画像形成システムであって、
前記第２の電源手段は、前記第１の電源手段からの前記情報処理端末への電源供給が遮断された時点で前記情報処理端末で行われていた作業を前記記憶手段に記憶する間、前記情報処理端末に対して駆動電力を供給することを特徴とする画像形成システム。
【請求項５】
請求項２記載の画像形成システムであって、
前記情報処理端末は、前記第１の電源手段からの電源供給が遮断された時点から、所定の終了手続きを開始するとともに、
前記第２の電源手段は、前記情報処理端末が所定の終了手続きを完了するまでの間、前記情報処理端末に対して駆動電力を供給することを特徴とする画像形成システム。
【発明の詳細な説明】
【技術分野】
【０００１】
本発明は、商用交流電源の供給が途絶えたときに動作する非常用の電源を備えた画像形成システムに関する。
【背景技術】
【０００２】
特許文献１などには、電源用の電池を備えたノートパソコンなどの情報処理装置について開示されている。このようなノートパソコンは、屋内に設置されて使用されるのみならず、屋外に持ち出して使用されることを想定しているため、常時、電池（充電池）で駆動することができる。
【０００３】
【特許文献１】特開２００１−３１８７５３公報
【発明の開示】
【発明が解決しようとする課題】
【０００４】
しかしながら、ノートパソコンのような小型のシステムではなく、通常室内に設置されて使用されるようなより大規模のシステムの場合は、商用交流電源を用いればよいので充電池で常時駆動するようにする必要はなく、また、充電池で常時駆動するようにするには、大規模な充電池を必要とするので製造コストを増大させてしまう不具合もある。
【０００５】
そこで、このような大規模システムにおいては、常時は商用交流電源からの電力で直接駆動するようにしたいが、ユーザが誤ってコンセントを抜いてしまったり、あるいは停電が生じた場合には、データの破損などの不具合が生じないように、直ちに充電池での駆動に切り替えるようにしたい。
【０００６】
そこで、ＵＰＳ（無停電電源供給装置）を用いることが考えられるが、ＵＰＳは単一の装置に対して電源を供給するものであり、複写機のような大電力を消費する装置に対して対応することができない。従って、複写機などの画像形成装置に対して付加装置として情報処理端末を設け、画像形成装置の電源から付加装置である情報処理端末にも駆動電力を供給しているような場合、画像形成装置の電源が落ちてしまうと、ＵＰＳにより付加装置である情報処理端末だけに単独で電力供給を行って動作させることができないという不具合がある。
【０００７】
本発明の目的は、画像形成装置に対して付加装置として情報処理端末を設け、画像形成装置の電源から情報処理端末にも駆動電力を供給しているような場合に、商用交流電源などの電力供給の途絶後も、情報処理端末だけに単独で電力供給を行って動作させることができるようにすることである。
【課題を解決するための手段】
【０００８】
本発明は、画像形成装置と、この画像形成装置に付加的に設けられた情報処理端末と、前記画像形成装置及び前記情報処理端末に駆動電力を供給する第１の電源手段と、この第１の電源手段からの前記画像形成装置及び前記情報端末に対する電源供給が遮断された場合に、前記情報処理端末に対してのみ駆動電力を供給する第２の電源手段と、を具備する画像形成システムである。
【０００９】
別の本発明は、画像形成装置と、この画像形成装置に付加的に設けられた情報処理端末と、前記画像形成装置ならびに前記情報処理端末に駆動電力を供給する第１の電源手段と、この第１の電源手段からの前記画像形成装置及び前記情報処理端末に対する電源供給が遮断されたとき、その時点で前記情報処理端末が動作中であった場合には、前記情報端末に対してのみ駆動電力を供給する第２の電源手段と、を具備することを特徴とする画像形成システムである。
【発明の効果】
【００１０】
本発明によれば、本装置に電力を供給する商用交流電源などの第１の電源手段による電力供給が途絶えたときは、第２の電源手段により情報処理端末に対してのみ駆動電力を供給するので、商用交流電源などの電力供給の途絶後も、情報処理端末だけに単独で電力供給を行って動作させることができる。
【発明を実施するための最良の形態】
【００１１】
本発明を実施するための最良の一形態について説明する。
【００１２】
本実施の形態は、本発明の画像形成システムを、コピー機能、ファクシミリ（ＦＡＸ）機能、プリント機能、スキャナ機能及び入力画像（スキャナ機能による読み取り原稿画像やプリンタあるいはＦＡＸ機能により入力された画像）を配信する機能等を複合したいわゆるデジタルカラー複合機に適用した例を示す。
【００１３】
図１は、本実施の形態のデジタルカラー複合機１を含むシステム構成図である。図１に示すように、本実施の形態においては、デジタルカラー複合機１に通信ネットワークであるＬＡＮ（Local Area Network）２を介し、各種の情報処理を実行するサーバコンピュータ３や複数台のクライアントコンピュータ４が接続されたシステムを想定する。サーバコンピュータ３は、例えばＦＴＰ，ＨＴＴＰプロトコルをサポートしたり、ＷｅｂサーバやＤＮＳ（ドメインネームサーバ）の機能を実現するものである。すなわち、このシステムにおいては、デジタルカラー複合機１が備えている画像入力機能（スキャナ機能）、画像出力機能（プリント機能）及び画像蓄積機能等の画像処理機能を、ＬＡＮ２上でシェアし得る環境が構築されているものである。
【００１４】
このようなシステムは、通信制御ユニット５を介してインターネット網６に接続され、インターネット網６を介して外部環境とデータ通信可能に構築されている。通信制御ユニット５としては、ルータ、交換機、モデム、ＤＳＬモデム等が一般的であるが、最低限ＴＣＰ／ＩＰ通信が可能であればよい。また、ＬＡＮ２は有線通信に限るものではなく、無線通信（赤外線や電波等）であってもよい。また、光ファイバーを用いたものであってもよい。
【００１５】
次に、デジタルカラー複合機１について説明する。ここで、図２はデジタルカラー複合機１を概略的に示す外観斜視図、図３はデジタルカラー複合機１の各部の電気的接続を示すブロック図である。図２に示すように、デジタルカラー複合機１は、転写紙などの媒体に画像を形成する画像形成装置である印刷装置７の上部に、原稿から画像を読み取る画像読取装置８を配設した構成とされている。また、画像読取装置８の装置外面には、オペレータに対する表示とオペレータからの機能設定等の各種の入力を許容する操作パネルＰが設けられている。さらに、操作パネルＰの下部には、光ディスク、フレキシブルディスクなどの記憶媒体Ｍ（図３参照）に記憶されているプログラムコードや画像データ等を読み取る、又は、記憶媒体Ｍに対してプログラムコードや画像データ等を書き込む装置である外部メディア入出力装置９が、記憶媒体Ｍの挿入を許容する挿入口を外部に露出させて設けられている。
【００１６】
このようなデジタルカラー複合機１のストラクチャとしては、図３に示すように、画像処理ユニット部Ａと情報処理ユニット部Ｂとに大別されており、印刷装置７及び画像読取装置８は画像処理ユニット部Ａに属し、操作パネルＰ及び外部メディア入出力装置９は情報処理ユニット部Ｂに属している。
【００１７】
画像処理ユニット部Ａについて説明する。印刷装置７及び画像読取装置８を備える画像処理ユニット部Ａは、画像処理ユニット部Ａにおける画像処理全般の制御を行う画像処理制御ユニット１０を備えており、この画像処理制御ユニット１０には、印刷装置７を制御する印刷制御ユニット１１と、画像読取装置８を制御する画像読取制御ユニット１２とが接続されている。
【００１８】
印刷制御ユニット１１は、画像処理制御ユニット１０の制御に従って印刷装置７に対して画像データを含む印刷指示を出力し、印刷装置７に転写紙などの媒体に画像を形成して出力させる。印刷装置７はフルカラー印刷可能とされており、その印刷方式は、電子写真方式のほか、インクジェット方式、昇華型熱転写方式、銀塩写真方式、直接感熱記録方式、溶融型熱転写方式など、さまざまな方式を用いることができる。
【００１９】
画像読取制御ユニット１２は、画像処理制御ユニット１０の制御により画像読取装置８を駆動し、原稿の表面に対するランプ照射の反射光をミラー及びレンズにより受光素子（例えば、ＣＣＤ（Charge Coupled Device））に集光して読み取り、Ａ／Ｄ変換してＲＧＢ各８bitのデジタル画像データを生成する。
【００２０】
このような画像処理制御ユニット１０は、メインプロセッサであるＣＰＵ（Central Processing Unit）１３と、画像読取装置８から読み込んだ画像データを印刷装置７による作像に供すべく一旦格納しておくＳＤＲＡＭ（Synchronous Dynamic Random Access Memory）１４と、制御プログラム等を記憶したＲＯＭ（Read Only Memory）１５と、システムログ／システム設定／ログ情報等を記録しておく電源ＯＦＦ時にもデータの保持が可能なＮＶＲＡＭ１６と、をバス接続したマイクロコンピュータ構成とされている。
【００２１】
また、画像処理制御ユニット１０には、多量の画像データの蓄積やジョブ履歴等の記憶装置となるＨＤＤ（Hard Disk Drive）１７、装置内部に設けられた集線装置であるＨＵＢ１９を介して画像処理ユニット部ＡをＬＡＮ２に接続するためのＬＡＮ制御部１８、ＦＡＸ制御を行うＦＡＸ制御ユニット２０が接続されている。このＦＡＸ制御ユニット２０は、公衆電話網２１に通じる構内交換器（ＰＢＸ）２２に接続されており、デジタルカラー複合機１は、遠隔のファクシミリ装置と交信することができる。
【００２２】
加えて、画像処理制御ユニット１０には、表示制御ユニット２３及び操作入力制御ユニット２４が接続されている。表示制御ユニット２３は、画像処理制御ユニット１０のコントロールによって制御パネルＩ／Ｆ２５に接続された通信ケーブル２６を介して情報処理ユニット部Ｂに対して画像表示制御信号を出力し、情報処理ユニット部Ｂの操作パネルＰに対して画像表示の制御を行う。また、操作入力制御ユニット２４は、情報処理ユニット部Ｂの操作パネルＰからのオペレータによる機能設定や入力操作に応じた入力制御信号を、画像処理制御ユニット１０のコントロールによって制御パネルＩ／Ｆ２５に接続された通信ケーブル２６を介して入力する。すなわち、画像処理ユニット部Ａは、情報処理ユニット部Ｂの操作パネルＰを通信ケーブル２６を介して直接モニタすることができる構成になっている。
【００２３】
したがって、画像処理ユニット部Ａは、従来の画像処理装置が備える画像処理ユニットに対して通信ケーブル２６を接続し、情報処理ユニット部Ｂの操作パネルＰを利用するようにしたものである。すなわち、画像処理ユニット部Ａの表示制御ユニット２３及び操作入力制御ユニット２４は、操作パネルＰに接続されているものとして動作している。
【００２４】
このような構成により、画像処理ユニット部Ａは、外部（サーバコンピュータ３、クライアントコンピュータ４、ファクシミリ装置等）からの画像情報である印刷データ及びプリント指示するコマンドを解析し、印刷データを出力画像データとして印刷できる状態にビットマップ展開し、印刷モードをコマンドから解析し動作を決定している。その印刷データ及びコマンドをＬＡＮ制御部１８あるいはＦＡＸ制御ユニット２０を通じて受信し動作する。
【００２５】
また、画像処理ユニット部Ａは、ＳＤＲＡＭ１４やＨＤＤ１７に記憶されている印刷データ、原稿読取りデータ、これらを出力用に処理した出力画像データ、及び、それらを圧縮した圧縮データを外部（サーバコンピュータ３、クライアントコンピュータ４、ファクシミリ等）に転送することができる。
【００２６】
さらに、画像処理ユニット部Ａは、画像読取装置８の読取り画像データを画像処理制御ユニット１０に転送し、光学系及びデジタル信号への量子化に伴う信号劣化を補正し、該画像データをＳＤＲＡＭ１４に書込む。このようにしてＳＤＲＡＭ１４に格納された画像データは、印刷制御ユニット１１で出力画像データに変換されて、印刷装置７に出力される。
【００２７】
次に、操作パネルＰを備える情報処理ユニット部Ｂについて説明する。情報処理ユニット部Ｂは、一般にパーソナルコンピュータといわれるような情報処理装置に用いられる汎用のＯＳ（Operating System）によって制御されるマイクロコンピュータ構成とされている。情報処理ユニット部Ｂは、メインプロセッサであるＣＰＵ３１を有しており、このＣＰＵ３１には、ＣＰＵ３１の作業用領域となるＲＡＭや起動プログラムなどを記憶した読出し専用メモリであるＲＯＭで構成されるメモリユニット３２と、ＯＳ（Operating System）やアプリケーションプログラムを記憶するＨＤＤ等の記憶装置３４に対するデータの入出力を制御する記憶装置制御ユニット３５とが、バス接続されている。
【００２８】
また、ＣＰＵ３１には、情報処理ユニット部Ｂを、ＨＵＢ１９を介してＬＡＮ２に接続するための通信インターフェースであるＬＡＮ制御部３３が接続されている。このＬＡＮ制御部３３に割り当てられるネットワークアドレスであるＩＰアドレスは、前述した画像処理ユニット部ＡのＬＡＮ制御部１８に割り当てられるＩＰアドレスとは異なるものである。すなわち、本実施の形態のデジタルカラー複合機１には、２つのＩＰアドレスが割り当てられていることになる。つまり、画像処理ユニット部Ａと情報処理ユニット部ＢとはそれぞれＬＡＮ２に接続されていることになり、画像処理ユニット部Ａと情報処理ユニット部Ｂとの間においてはデータ交換が可能な構成になっている。
【００２９】
なお、デジタルカラー複合機１はＨＵＢ１９を介してＬＡＮ２に接続されていることから、見かけ上は、１つのＩＰアドレスのみが割り当てられているように見える。したがって、美観を損ねることはなく、結線等の取り扱いを容易にすることが可能になっている。
【００３０】
さらに、ＣＰＵ３１には、操作パネルＰを制御する表示制御ユニット３６及び操作入力制御ユニット３７が接続されている。ここで、図４は操作パネルＰの構成を示す平面図である。図４に示すように、操作パネルＰは、例えばＬＣＤ（Liquid Crystal Display）である表示装置４０と、操作入力装置４１とで構成されている。操作入力装置４１は、表示装置４０の表面に積層された超音波弾性波方式等のタッチパネル４１ａと、複数のキーを有するキーボード４１ｂとで構成されている。キーボード４１ｂには、画像読み取りの開始を宣言するためのスタートキー、数値入力を行うためのテンキー、読み取った画像データの送信先を設定する読取条件設定キー、クリアキー等が設けられている。すなわち、表示制御ユニット３６は、画像表示制御信号を制御パネルＩ／Ｆ３８を介して表示装置４０に出力し、画像表示制御信号に応じた所定事項を表示装置４０に表示させる。一方、操作入力制御ユニット３７は、操作入力装置４１におけるオペレータによる機能設定や入力操作に応じた入力制御信号を、制御パネルＩ／Ｆ３８を介して受信する。
【００３１】
加えて、ＣＰＵ３１には、画像処理ユニット部Ａの制御パネルＩ／Ｆ２５と通信ケーブル２６を介して接続されている制御パネル通信ユニット３９が接続されている。制御パネル通信ユニット３９は、画像処理ユニット部Ａから出力された画像表示制御信号を受信し、また、操作パネルＰからのオペレータによる機能設定や入力操作に応じた入力制御信号を画像処理ユニット部Ａに転送する。なお、詳細は後述するが、制御パネル通信ユニット３９で受信した画像処理ユニット部Ａからの画像表示制御信号は操作パネルＰの表示装置４０用にデータ変換処理されてから表示制御ユニット３６に出力され、また、操作パネルＰからのオペレータによる機能設定や入力操作に応じた入力制御信号は画像処理ユニット部Ａでの仕様に応じた形式にデータ変換処理されてから制御パネル通信ユニット３９に入力される。
【００３２】
上述したように記憶装置３４には、ＣＰＵ３１が実行するＯＳ（Operating System）やアプリケーションプログラムが格納されている。この意味で、記憶装置３４は、アプリケーションプログラムを記憶する記憶媒体として機能する。このデジタルカラー複合機１では、ユーザが電源を投入するとＣＰＵ３１がメモリユニット３２内の起動プログラムを起動させ、記憶装置３４よりＯＳをメモリユニット３２内のＲＡＭに読み込み、このＯＳを起動させる。このようなＯＳは、ユーザの操作に応じてプログラムを起動したり、情報を読み込んだり、保存を行ったりする。ＯＳのうち代表的なものとしては、Ｗｉｎｄｏｗｓ（登録商標）等が知られている。これらのＯＳ上で走る動作プログラムをアプリケーションプログラムと呼んでいる。情報処理ユニット部ＢのＯＳは、情報処理装置（サーバコンピュータ３やクライアントコンピュータ４等）と同種のＯＳ、すなわち汎用のＯＳ（例えば、Ｗｉｎｄｏｗｓ（登録商標）等）とされている。
【００３３】
なお、前述したように、本実施の形態のデジタルカラー複合機１には、ＯＳ、デバイスドライバや各種アプリケーションプログラム等の各種のプログラムコード（制御プログラム）や画像データ等を記憶した記憶媒体Ｍ、すなわち、フレキシブルディスク、ハードディスク、光ディスク（ＣＤ−ＲＯＭ，ＣＤ−Ｒ，ＣＤ−ＲＷ，ＤＶＤ−ＲＯＭ，ＤＶＤ−ＲＡＭ，ＤＶＤ−Ｒ，ＤＶＤ＋Ｒ，ＤＶＤ−ＲＷ，ＤＶＤ＋ＲＷなど）、光磁気ディスク（ＭＯ）、半導体メディアなどの記憶媒体Ｍに記憶されているプログラムコードや画像データ等を読み取る、又は記憶媒体Ｍに対してプログラムコードや画像データ等を書き込む装置であるフレキシブルディスクドライブ装置、光ディスクドライブ装置、ＭＯドライブ装置、メディアドライブ装置等の外部メディア入出力装置９が搭載されている。このような外部メディア入出力装置９は、ＣＰＵ３１にバス接続されている入出力デバイス制御ユニット４２により制御される。
【００３４】
したがって、記憶装置３４に記憶されているアプリケーションプログラムは、この記憶媒体Ｍに記録されたアプリケーションプログラムがインストールされたものであってもよい。このため、記憶媒体Ｍも、アプリケーションプログラムを記憶する記憶媒体となり得る。さらには、アプリケーションプログラムは、例えばインターネット網６及びＬＡＮ２を介して外部から取り込まれ、記憶装置３４にインストールされてもよい。
【００３５】
なお、入出力デバイス制御ユニット４２には、ＵＳＢ，ＩＥＥＥ１３９４，ＳＣＳＩ等の各種インターフェース４３も接続されており、各種インターフェース４３を介して様々な機器（デジタルカメラ等）が接続可能とされている。
【００３６】
以上のように、画像処理ユニット部Ａは画像を扱う所定の処理、この例では、画像の形成、画像の読み取り、画像の送受信などを行なう画像処理装置となり、情報処理ユニット部Ｂは、様々な情報処理を行い、情報処理ユニット部Ｂの各部や画像処理ユニット部Ａを集中的に制御する情報処理装置となり、デジタルカラー複合機１は画像処理システムとなる。
【００３７】
図５は、デジタルカラー複合機１の電源系統の回路図である。図５に示すように、ＡＣアダプタ５１は、第１の電源手段となるもので、商用交流電源の供給を受けてＤＣ電源を生成する整流回路５２を備えている。充電コンデンサ５３は、第２の電源手段となるもので、この整流回路５２の出力側とプラス側で接続され、整流回路５２の出力するＤＣ電源で充電される充電器である。ＡＣアダプタ５１は、ライン６０を介して画像処理ユニット部Ａに電力を供給する。ライン６０には、このラインを開閉するMOSFETなどの半導体素子などで構成されるスイッチング素子６１が設けられている。
【００３８】
ＭＰＵ（MicroProcessor Unit）５４は、情報処理端末となる情報処理ユニット部Ｂさらには画像形成装置となる画像処理ユニット部Ａの電源系統を管理する装置で、整流回路５２と充電コンデンサ５３とを接続しているライン５５から整流回路５２の出力側及び充電コンデンサ５３のプラス側が電源入力部５４ａに並列に接続され、整流回路５２からも充電コンデンサ５３からも電力の供給を受けることが可能である。
【００３９】
MOSFETなどの半導体素子などで構成されるスイッチング素子５６は、整流回路５２の出力側と充電コンデンサ５３のプラス側とを接続し、また、充電コンデンサ５３のプラス側とＭＰＵ５４の電源入力部５４ａとを接続しているライン５５をＭＰＵ５４の出力する制御信号により開閉する。
【００４０】
MOSFETなどの半導体素子などで構成されるスイッチング素子５７は、整流回路５２の出力側及び充電コンデンサ５３のプラス側が接続され、情報処理ユニット部Ｂに電力を供給するためのライン５８をＭＰＵ５４の出力する制御信号により開閉する。
【００４１】
符号５９は、デジタルカラー複合機１の主電源をオン、オフする操作スイッチであり、ＭＰＵ５４は、この操作スイッチ５９の操作を検出することができる。
【００４２】
次に、図５の回路の動作について説明する。デジタルカラー複合機１が商用交流電源の供給を受けているときは、ＭＰＵ５４は、操作スイッチ５９が投入されているか否かにかかわらず、商用交流電源を整流回路５２で整流したＤＣ電源の供給を受けて、デジタルカラー複合機１の電源系統の管理を行なっている。
【００４３】
そして、ユーザがデジタルカラー複合機１を使用するときには操作スイッチ５９を投入することになる。このとき、図６に示すように、ＭＰＵ５４は、操作スイッチ５９の投入を検出して（ステップＳ１のＹ）、スイッチング素子５６，５７，６０をオンにして（ステップＳ２）、ライン５６，５８，６０を閉じる。なお、操作スイッチ５９が投入されていないときは（ステップＳ１のＮ）、スイッチング素子５６，５７，６０をオフにして（ステップＳ３）、ライン５６，５８を開く。
【００４４】
操作スイッチ５９の投入でスイッチング素子５６，５７，６１がオンにして、ライン５８，６０を閉じると、画像処理ユニット部Ａ、情報処理ユニット部Ｂに整流回路５２を介してＤＣ電源が供給されるので（実際は図示しないＤＣ−ＤＣコンバータにより、様々なＤＣ電源が生成されて各部に供給される）、画像処理ユニット部Ａが動作可能となり、また、ＣＰＵ３１はＯＳを立ち上げて、情報処理ユニット部Ｂが動作可能となる。また、ライン５５が開かれることにより、充電器となる充電コンデンサ５３にも充電が行なわれる。
【００４５】
このように、通常は商用交流電源の電力により動作するが、操作スイッチ５９が投入された状態で、ユーザがコンセントを不用意に抜いてしまったり、あるいは停電になったりした場合など、商用交流電源が突然途絶してしまった場合は、整流回路５２の出力側の電位が０になるため、充電コンデンサ５３が放電してＭＰＵ５４に電力を供給し、ＭＰＵ５４は操作スイッチ５９が投入されている限りは、スイッチング素子５６，５７をオンにして（ステップＳ２）、ライン５６，５８を閉じた状態を維持する。よって、充電コンデンサ５３の電力はＭＰＵ５４に供給され続けてＭＰＵ５４は動作を維持する。
【００４６】
そして、この電力で、情報処理ユニット部Ｂが動作中であった場合に、この情報処理ユニット部Ｂも動作を継続し続けることができるので、情報処理ユニット部ＢでＯＳが終了していない状態で電力が途絶する事態は防止され、データの破損などの発生を防止することができる。この場合は、画像処理ユニット部Ａへの電力供給は途絶するので、情報処理ユニット部Ｂのみに電力供給されることとなる。
【００４７】
しかし、充電コンデンサ５３が緊急用の電源として機能するのは、操作スイッチ５９が投入された状態で商用交流電源が途絶した場合に限られるので、デジタルカラー複合機１のような大規模なシステムに使用しても、充電コンデンサ５３は大規模なものは不要であり、充電コンデンサ５３やその周辺装置の製造コストを低減することができる。
【００４８】
このようにして、商用交流電源が途絶して充電コンデンサ５３をバックアップ電源とした場合に、情報処理ユニット部Ｂが実行する処理について説明する。ＣＰＵ３１は、操作スイッチ５９が投入されているのを検出し、かつ、商用交流電源が途絶したことを検出すると（これは、ＡＣアダプタ５１に設けた商用交流電源の電圧を検出する図示しない電圧センサの電圧値が０になったことを検出することなどで判断できる）（ステップＳ１１のＹ）、情報処理ユニット部Ｂで行われていた作業を記憶装置３４などに記憶する（記憶手段）など、所定の終了手続を実行する（ステップＳ１２）。そして、この記憶処理が実行されている間は、充電コンデンサ５３から情報処理ユニット部Ａへの電力の供給は維持されるが、所定の終了手続を完了すると（ステップＳ１３のＹ）、ＭＰＵ５４に指示して、スイッチング素子５６，５７，６１をＯＦＦにする（ステップＳ１４）。
【００４９】
これにより、情報処理ユニット部Ｂで行われていた作業を記憶装置３４などに記憶するなど、所定の終了手続を確実に完了するまで充電コンデンサ５３によるバックアップ電源を維持して、情報処理ユニット部Ｂにおけるシステムの破損などの不具合を防止して、その後はバックアップ電源も終了することができる。
【図面の簡単な説明】
【００５０】
【図１】本発明の実施の一形態のデジタルカラー複合機を含むシステム構成図である。
【図２】デジタルカラー複合機を概略的に示す外観斜視図である。
【図３】デジタルカラー複合機の各部の電気的接続を示すブロック図である。
【図４】操作パネルの構成を示す平面図である。
【図５】デジタルカラー複合機の電源系統の回路図である。
【図６】ＭＰＵが実行する処理のフローチャートである。
【図７】情報処理ユニット部が実行する処理のフローチャートである。
【符号の説明】
【００５１】
Ａ    画像形成装置
Ｂ    情報処理端末
５１  第１の電源手段
５３  第２の電源手段
【図１】
2005101785.tif 000003
【図２】
2005101785.tif 000004
【図３】
2005101785.tif 000005
【図４】
2005101785.tif 000006
【図５】
2005101785.tif 000007
【図６】
2005101785.tif 000008
【図７】
2005101785.tif 000009